(57)【要約】【課題】互いに通信する権利を有する複数の通信当事者に含まれていない通信当事者が、当該複数の通信当事者のいずれかと入れ替わることができるようにする。【解決手段】通信システムは、複数の通信当事者識別子を含む通信条件を保持する通信条件管理装置と、前記通信条件に含まれる通信当事者識別子を第１の通信当事者に対するものから第２の通信当事者に対するものに置き換えることを要求する通信条件変更要求を通信端末から受信した場合に、通信条件変更要求に応じて前記通信条件を変更する通信条件変更装置と、複数の通信当事者識別子を指定した通信確立要求を通信端末から受信した場合に、通信確立要求において指定された複数の通信当事者識別子のいずれもが前記通信条件に含まれているか否かを判定し、含まれているときには該複数の通信当事者識別子に相当する通信当事者間の通信を確立する通信確立装置を有する。【選択図】図１
2011077831.tif 000002
【特許請求の範囲】
【請求項１】
複数の通信当事者識別子を含む通信条件を保持する通信条件管理装置と、
前記通信条件に含まれる通信当事者識別子を第１の通信当事者に対するものから第２の通信当事者に対するものに置き換えることを要求する通信条件変更要求を通信端末から受信するとともに、該通信条件変更要求に応じて前記通信条件を変更する通信条件変更装置と、
複数の通信当事者識別子を指定した通信確立要求を通信端末から受信した場合には、該通信確立要求において指定された複数の通信当事者識別子のいずれもが前記通信条件に含まれているか否かを判定し、含まれているときには、該複数の通信当事者識別子に相当する通信当事者間の通信を確立する通信確立装置と、を備えていることを特徴とする通信システム。
【請求項２】
前記通信条件変更装置は、前記通信条件変更要求を許可するか否かを前記第１の通信当事者に問い合わせ、変更許可応答を前記第１の通信当事者から受け取った場合には、前記通信条件変更要求に応じて前記通信条件を変更することを特徴とする、請求項１に記載の通信システム。
【請求項３】
前記通信条件変更装置は、前記通信条件変更要求を許可するか否かを前記第１の通信当事者に問い合わせ、変更拒否応答を前記第１の通信当事者から受け取った場合には、前記通信条件を変更しないことを特徴とする、請求項１又は２に記載の通信システム。
【請求項４】
前記通信条件変更装置は、前記第１の通信当事者との間で通信当事者を変更する取引を完了したとの確証を前記第２の通信当事者から受け取った場合には、前記通信条件変更要求に応じて前記通信条件を変更することを特徴とする、請求項１乃至３のいずれか１項に記載の通信システム。
【請求項５】
前記通信条件変更装置は、前記第１の通信当事者との間で通信当事者を変更する取引を完了したとの確証を前記第２の通信当事者から受け取った場合には、該取引が完了したか否かを前記第１の通信当事者に問い合わせることを特徴とする、請求項１乃至４のいずれか１項に記載の通信システム。
【請求項６】
前記通信条件変更装置は、前記通信条件変更要求に応じて前記通信条件を変更する前に、前記通信条件変更を許可してもよい価格を前記第１の通信当事者に問い合わせるとともに、該価格を含む応答を前記第１の通信当事者から受け取った場合には、該価格を前記第２の通信当事者に通知することを特徴とする、請求項１乃至５のいずれか１項に記載の通信システム。
【請求項７】
前記通信条件変更装置は、前記第２の通信当事者が前記第１の通信当事者に支払った金額を前記第２の通信当事者から受け取るとともに、該金額が前記価格と異なる場合には、前記第２の通信当事者にエラーを通知することを特徴とする、請求項６に記載の通信システム。
【請求項８】
前記通信条件変更装置は、前記通信条件変更要求とともに希望する通信条件変更価格を前記第２の通信当事者から受け付けることを特徴とする、請求項１乃至７のいずれか１項に記載の通信システム。
【請求項９】
前記通信条件変更装置は、前記通信条件変更を許可してもよい価格を含む応答を前記第１の通信当事者から受け取った場合には、該価格を前記第２の通信当事者に請求することを特徴とする、請求項１乃至８のいずれか１項に記載の通信システム。
【請求項１０】
前記通信条件変更装置は、前記通信条件変更要求に応じて前記通信条件を変更した後に、変更した旨を前記第１の通信当事者に通知することを特徴とする、請求項１乃至９のいずれか１項に記載の通信システム。
【請求項１１】
前記通信条件変更装置は、前記通信条件変更要求に応じて前記通信条件を変更した後に、変更した旨を前記第２の通信当事者に通知することを特徴とする、請求項１乃至１０のいずれか１項に記載の通信システム。
【請求項１２】
コンピュータが、複数の通信当事者識別子を含む通信条件のうちの一の通信当事者識別子を、第１の通信当事者に対するものから第２の通信当事者に対するものに置き換えることを要求する通信条件変更要求を通信端末から受信する工程と、
記憶装置に記録された前記通信条件を前記通信条件変更要求に応じて変更する工程と、
複数の通信当事者識別子を指定した通信確立要求を通信端末から受信した場合には、該通信確立要求において指定された複数の通信当事者識別子のいずれもが前記記憶装置に記録された通信条件に含まれているか否かを判定し、含まれているときには、該複数の通信当事者識別子に相当する通信当事者間の通信を確立する工程と、を含むことを特徴とする通信方法。
【請求項１３】
コンピュータが、前記通信条件変更要求を許可するか否かを前記第１の通信当事者に問い合わせ、変更許可応答を前記第１の通信当事者から受け取った場合には、前記通信条件変更要求に応じて前記通信条件を変更する工程を含むことを特徴とする、請求項１２に記載の通信方法。
【請求項１４】
コンピュータが、前記第１の通信当事者との間で通信当事者を変更する取引を完了したとの確証を前記第２の通信当事者から受け取った場合には、前記通信条件変更要求に応じて前記通信条件を変更する工程を含むことを特徴とする、請求項１２又は１３に記載の通信方法。
【請求項１５】
コンピュータが、前記第１の通信当事者との間で通信当事者を変更する取引を完了したとの確証を前記第２の通信当事者から受け取った場合には、該取引が完了したか否かを前記第１の通信当事者に問い合わせる工程を含むことを特徴とする、請求項１２乃至１４のいずれか１項に記載の通信方法。
【請求項１６】
コンピュータが、前記通信条件変更要求に応じて前記通信条件を変更する前に、前記通信条件変更を許可してもよい価格を前記第１の通信当事者に問い合わせるとともに、該価格を含む応答を前記第１の通信当事者から受け取った場合には、該価格を前記第２の通信当事者に通知する工程を含むことを特徴とする、請求項１２乃至１５のいずれか１項に記載の通信方法。
【請求項１７】
コンピュータが、前記通信条件変更要求とともに希望する通信条件変更価格を前記第２の通信当事者から受け付ける工程を含むことを特徴とする、請求項１２乃至１６のいずれか１項に記載の通信方法。
【請求項１８】
複数の通信当事者識別子を含む通信条件のうちの一の通信当事者識別子を、第１の通信当事者に対するものから第２の通信当事者に対するものに置き換えることを要求する通信条件変更要求を通信端末から受信する処理と、
記憶装置に記録された前記通信条件を前記通信条件変更要求に応じて変更する処理と、
複数の通信当事者識別子を指定した通信確立要求を通信端末から受信した場合には、該通信確立要求において指定された複数の通信当事者識別子のいずれもが前記記憶装置に記録された通信条件に含まれているか否かを判定し、含まれているときには、該複数の通信当事者識別子に相当する通信当事者間の通信を確立する処理と、をコンピュータに実行させることを特徴とするプログラム。
【請求項１９】
前記通信条件変更要求を許可するか否かを前記第１の通信当事者に問い合わせ、変更許可応答を前記第１の通信当事者から受け取った場合には、前記通信条件変更要求に応じて前記通信条件を変更する処理をコンピュータに実行させることを特徴とする、請求項１８に記載のプログラム。
【請求項２０】
前記第１の通信当事者との間で通信当事者を変更する取引を完了したとの確証を前記第２の通信当事者から受け取った場合には、前記通信条件変更要求に応じて前記通信条件を変更する処理をコンピュータに実行させることを特徴とする、請求項１８又は１９に記載のプログラム。
【請求項２１】
前記第１の通信当事者との間で通信当事者を変更する取引を完了したとの確証を前記第２の通信当事者から受け取った場合には、該取引が完了したか否かを前記第１の通信当事者に問い合わせる処理をコンピュータに実行させることを特徴とする、請求項１８乃至２０のいずれか１項に記載のプログラム。
【請求項２２】
前記通信条件変更要求に応じて前記通信条件を変更する前に、前記通信条件変更を許可してもよい価格を前記第１の通信当事者に問い合わせるとともに、該価格を含む応答を前記第１の通信当事者から受け取った場合には、該価格を前記第２の通信当事者に通知する処理をコンピュータに実行させることを特徴とする、請求項１８乃至２１のいずれか１項に記載のプログラム。
【請求項２３】
前記通信条件変更要求とともに希望する通信条件変更価格を前記第２の通信当事者から受け付ける処理をコンピュータに実行させることを特徴とする、請求項１８乃至２２のいずれか１項に記載のプログラム。
【発明の詳細な説明】
【技術分野】
【０００１】
本発明は、通信システム、通信方法及びプログラムに関し、特に、通信を確立する権利を通信当事者間で取引する通信システム、通信方法及びプログラムに関する。
【背景技術】
【０００２】
通信を確立する権利を通信当事者間で取引する通信システムの一例として、特許文献１が挙げられる。特許文献１では、着信者端末が発信者端末からの着信を承諾する対価を発信者端末に課金するシステムが記載されている。
【０００３】
以下では、通信を確立する権利を取引する前後における通信当事者を、いずれも単に通信当事者と呼ぶ。また、互いに通信する権利を有する通信当事者の組み合わせを通信条件と呼ぶ。
【先行技術文献】
【特許文献】
【０００４】
【特許文献１】特開２００６−０５０４１６号公報
【発明の概要】
【発明が解決しようとする課題】
【０００５】
以下の分析は、本発明者によってなされたものである。特許文献１に記載された通信システムによると以下の問題が生じる。第１の問題として、上記の通信条件を変更することができない。すなわち、通信条件に含まれてない通信当事者が、新たに通信に参加することができない。また、第２の問題として、上記の通信条件を変更するような取引、すなわち、通信当事者と連絡する権利の取引ができない。さらに、第３の問題として、通信条件に含まれない通信当事者が、前記通信条件の変更を要求することができない。
【０００６】
そこで、互いに通信する権利を有する複数の通信当事者に含まれていない通信当事者が、当該複数の通信当事者のいずれかと入れ替わることができるようにすることが課題となる。本発明の目的は、かかる課題を解決する通信システム、通信方法及びプログラムを提供することにある。
【課題を解決するための手段】
【０００７】
本発明の第１の視点に係る通信システムは、
複数の通信当事者識別子を含む通信条件を保持する通信条件管理装置と、
前記通信条件に含まれる通信当事者識別子を第１の通信当事者に対するものから第２の通信当事者に対するものに置き換えることを要求する通信条件変更要求を通信端末から受信するとともに、該通信条件変更要求に応じて前記通信条件を変更する通信条件変更装置と、
複数の通信当事者識別子を指定した通信確立要求を通信端末から受信した場合には、該通信確立要求において指定された複数の通信当事者識別子のいずれもが前記通信条件に含まれているか否かを判定し、含まれているときには、該複数の通信当事者識別子に相当する通信当事者間の通信を確立する通信確立装置と、を備えている。
【０００８】
本発明の第２の視点に係る通信方法は、
コンピュータが、複数の通信当事者識別子を含む通信条件のうちの一の通信当事者識別子を、第１の通信当事者に対するものから第２の通信当事者に対するものに置き換えることを要求する通信条件変更要求を通信端末から受信する工程と、
記憶装置に記録された前記通信条件を前記通信条件変更要求に応じて変更する工程と、
複数の通信当事者識別子を指定した通信確立要求を通信端末から受信した場合には、該通信確立要求において指定された複数の通信当事者識別子のいずれもが前記記憶装置に記録された通信条件に含まれているか否かを判定し、含まれているときには、該複数の通信当事者識別子に相当する通信当事者間の通信を確立する工程と、を含む。
【０００９】
本発明の第３の視点に係るプログラムは、
複数の通信当事者識別子を含む通信条件のうちの一の通信当事者識別子を、第１の通信当事者に対するものから第２の通信当事者に対するものに置き換えることを要求する通信条件変更要求を通信端末から受信する処理と、
記憶装置に記録された前記通信条件を前記通信条件変更要求に応じて変更する処理と、
複数の通信当事者識別子を指定した通信確立要求を通信端末から受信した場合には、該通信確立要求において指定された複数の通信当事者識別子のいずれもが前記記憶装置に記録された通信条件に含まれているか否かを判定し、含まれているときには、該複数の通信当事者識別子に相当する通信当事者間の通信を確立する処理と、をコンピュータに実行させる。
【発明の効果】
【００１０】
本発明に係る通信システム、通信方法及びプログラムによると、互いに通信する権利を有する複数の通信当事者に含まれていない通信当事者が、当該複数の通信当事者のいずれかと入れ替わることができる。
【図面の簡単な説明】
【００１１】
【図１】本発明の実施形態に係る通信システムの構成を示すブロック図である。
【図２】本発明の実施形態に係る通信システムにおける通信条件を一例として示す図である。
【図３】本発明の実施形態に係る通信システムにおける通信条件を一例として示す図である。
【図４】本発明の実施形態に係る通信システムの動作を説明するための図である。
【発明を実施するための形態】
【００１２】
第１の展開形態の通信システムは、上記第１の視点に係る通信システムであることが好ましい。
【００１３】
第２の展開形態の通信システムは、前記通信条件変更装置が、前記通信条件変更要求を許可するか否かを前記第１の通信当事者に問い合わせ、変更許可応答を前記第１の通信当事者から受け取った場合には、前記通信条件変更要求に応じて前記通信条件を変更することが好ましい。
【００１４】
第３の展開形態の通信システムは、前記通信条件変更装置が、前記通信条件変更要求を許可するか否かを前記第１の通信当事者に問い合わせ、変更拒否応答を前記第１の通信当事者から受け取った場合には、前記通信条件を変更しないことが好ましい。
【００１５】
第４の展開形態の通信システムは、前記通信条件変更装置が、前記第１の通信当事者との間で通信当事者を変更する取引を完了したとの確証を前記第２の通信当事者から受け取った場合には、前記通信条件変更要求に応じて前記通信条件を変更するようにしてもよい。
【００１６】
第５の展開形態の通信システムは、前記通信条件変更装置が、前記第１の通信当事者との間で通信当事者を変更する取引を完了したとの確証を前記第２の通信当事者から受け取った場合には、該取引が完了したか否かを前記第１の通信当事者に問い合わせるようにしてもよい。
【００１７】
第６の展開形態の通信システムは、前記通信条件変更装置が、前記通信条件変更要求に応じて前記通信条件を変更する前に、前記通信条件変更を許可してもよい価格を前記第１の通信当事者に問い合わせるとともに、該価格を含む応答を前記第１の通信当事者から受け取った場合には、該価格を前記第２の通信当事者に通知するようにしてもよい。
【００１８】
第７の展開形態の通信システムは、前記通信条件変更装置は、前記第２の通信当事者が前記第１の通信当事者に支払った金額を前記第２の通信当事者から受け取るとともに、該金額が前記価格と異なる場合には、前記第２の通信当事者にエラーを通知するようにしてもよい。
【００１９】
第８の展開形態の通信システムは、前記通信条件変更装置が、前記通信条件変更要求とともに希望する通信条件変更価格を前記第２の通信当事者から受け付けるようにしてもよい。
【００２０】
第９の展開形態の通信システムは、前記通信条件変更装置が、前記通信条件変更を許可してもよい価格を含む応答を前記第１の通信当事者から受け取った場合には、該価格を前記第２の通信当事者に請求するようにしてもよい。
【００２１】
第１０の展開形態の通信システムは、前記通信条件変更装置が、前記通信条件変更要求に応じて前記通信条件を変更した後に、変更した旨を前記第１の通信当事者に通知するようにしてもよい。
【００２２】
第１１の展開形態の通信システムは、前記通信条件変更装置が、前記通信条件変更要求に応じて前記通信条件を変更した後に、変更した旨を前記第２の通信当事者に通知するようにしてもよい。
【００２３】
第１２の展開形態の通信方法は、上記第２の視点に係る通信方法であることが好ましい。
【００２４】
第１３の展開形態の通信方法は、コンピュータが、前記通信条件変更要求を許可するか否かを前記第１の通信当事者に問い合わせ、変更許可応答を前記第１の通信当事者から受け取った場合には、前記通信条件変更要求に応じて前記通信条件を変更する工程を含むことが好ましい。
【００２５】
第１４の展開形態の通信方法は、コンピュータが、前記第１の通信当事者との間で通信当事者を変更する取引を完了したとの確証を前記第２の通信当事者から受け取った場合には、前記通信条件変更要求に応じて前記通信条件を変更する工程を含むことが好ましい。
【００２６】
第１５の展開形態の通信方法は、コンピュータが、前記第１の通信当事者との間で通信当事者を変更する取引を完了したとの確証を前記第２の通信当事者から受け取った場合には、該取引が完了したか否かを前記第１の通信当事者に問い合わせる工程を含んでいてもよい。
【００２７】
第１６の展開形態の通信方法は、コンピュータが、前記通信条件変更要求に応じて前記通信条件を変更する前に、前記通信条件変更を許可してもよい価格を前記第１の通信当事者に問い合わせるとともに、該価格を含む応答を前記第１の通信当事者から受け取った場合には、該価格を前記第２の通信当事者に通知する工程を含んでいてもよい。
【００２８】
第１７の展開形態の通信方法は、コンピュータが、前記通信条件変更要求とともに希望する通信条件変更価格を前記第２の通信当事者から受け付ける工程を含んでいてもよい。
【００２９】
第１８の展開形態のプログラムは、上記第３の視点に係るプログラムであることが好ましい。
【００３０】
第１９の展開形態のプログラムは、前記通信条件変更要求を許可するか否かを前記第１の通信当事者に問い合わせ、変更許可応答を前記第１の通信当事者から受け取った場合には、前記通信条件変更要求に応じて前記通信条件を変更する処理をコンピュータに実行させることが好ましい。
【００３１】
第２０の展開形態のプログラムは、前記第１の通信当事者との間で通信当事者を変更する取引を完了したとの確証を前記第２の通信当事者から受け取った場合には、前記通信条件変更要求に応じて前記通信条件を変更する処理をコンピュータに実行させることが好ましい。
【００３２】
第２１の展開形態のプログラムは、前記第１の通信当事者との間で通信当事者を変更する取引を完了したとの確証を前記第２の通信当事者から受け取った場合には、該取引が完了したか否かを前記第１の通信当事者に問い合わせる処理をコンピュータに実行させるようにしてもよい。
【００３３】
第２２の展開形態のプログラムは、前記通信条件変更要求に応じて前記通信条件を変更する前に、前記通信条件変更を許可してもよい価格を前記第１の通信当事者に問い合わせるとともに、該価格を含む応答を前記第１の通信当事者から受け取った場合には、該価格を前記第２の通信当事者に通知する処理をコンピュータに実行させるようにしてもよい。
【００３４】
第２３の展開形態のプログラムは、前記通信条件変更要求とともに希望する通信条件変更価格を前記第２の通信当事者から受け付ける処理をコンピュータに実行させるようにしてもよい。なお、上記のプログラムは、コンピュータ読み取り可能な記録媒体に記録されたものであってもよい。
【００３５】
（実施形態）
図面を参照して、本発明の実施形態に係る通信システムについて詳細に説明する。図１は、本発明の実施形態に係る通信システムの構成を示すブロック図である。図１を参照すると、本実施形態に係る通信システムは、複数の通信端末１１〜１３と、通信条件変更装置４０と、通信確立装置３０と、通信条件管理装置２０がネットワークを通じて通信可能に接続されている。
【００３６】
通信端末１１〜１３は、具体的には、携帯電話、パーソナルコンピュータ等の通信機能を有する機器である。個々の通信端末１１〜１３には、通信当事者識別子が割り当てられる。
【００３７】
通信条件変更装置４０は、変更部４１を有する。
【００３８】
変更部４１は、通信端末からの通信条件変更価格問合せに対して、変更対象となる通信当事者識別子に対応する通信端末に前記変更価格問合わせを送信し、これに対する価格を含む応答を受けると、通信条件変更要求元の通信端末に前記提示価格を通知する。また、変更部４１は、通信条件変更要求元の通信端末から取引完了の確証を含む通信条件変更要求を受けると、通信条件変更要求に基づいて、通信条件管理装置２０に通信条件の変更を要求する。さらに、変更部４１は、通信条件変更要求元の通信端末、及び／又は、変更対象となる通信端末に、通信条件を変更した旨を通知する。
【００３９】
通信条件管理装置２０は、通信条件記憶部２１と管理部２３を有する。
【００４０】
通信条件記憶部２１は、通信端末の組み合わせ毎の通信条件を記憶するデータベースである。通信条件は複数の通信当事者識別子を含む。通信条件記憶部２１に記憶されている通信条件の一例を図２及び図３に示す。
【００４１】
管理部２３は、変更部４１からの通信条件変更要求に対して、前記通信条件に含まれる通信当事者識別子を参照し、通信条件を更新する。さらに、通信確立装置３０からの通信条件取得要求に応じて、通信条件記憶部２１から該当する通信条件を検索し通信確立装置３０に応答する。
【００４２】
通信確立装置３０は、通信条件取得部３１と通信確立部３２を有する。
【００４３】
通信条件取得部３１は、通信確立部３２からの指示に従って、通信当事者識別子を含む通信条件取得要求をネットワーク経由で通信条件管理装置２０に送信し、それに対する応答として通信条件管理装置２０から送信されてくる通信条件を受信し、通信確立部３２に伝達する。
【００４４】
通信確立部３２は、通信確立要求に対して、通信条件取得部３１から受け取った通信条件と通信確立要求に含まれる通信当事者識別子とから、通信条件が満たされているか否かを判定し、満たされている場合には、通信当事者識別子に対応する通信端末間の通信セッションを確立する。
【００４５】
本実施形態の通信システムによると、通信条件に含まれていなかった通信当事者が、新たに通信当事者に成り替わることができる。また、本実施形態の通信システムによると、通信当事者と連絡する権利の売買が可能となる。さらに、本実施形態の通信システムによると、通信条件に含まれない通信当事者が、前記通信条件の変更を要求することができる。
【００４６】
図４は、本実施形態に係る通信システムの動作を説明するための図である。図４を参照して、本実施形態に係る通信システムの動作の一例について説明する。
【００４７】
ここでは、通信端末１１が発信端末、通信端末１３が着信端末となる通信セッションを確立するために、通信端末１３と連絡する権利を有する通信端末１２から、通信端末１１が連絡する権利を買い取る場合を考える。ここで、通信端末１１の利用者をellen、通信当事者識別子をellen@carrier.comとし、通信端末１２の利用者をdave、通信当事者識別子をdave@carrier.comとし、通信端末１３の利用者をbob、通信当事者識別子をbob@carrier.comとする。
【００４８】
利用者ellenは、利用者bobと連絡することのできる利用者daveに、利用者bobと連絡するためにはいくら必要かを問い合わせるために、通信端末１１上で問い合わせ操作を行うと、通信当事者識別子dave@carrier.comとbob@carrier.comを含む通信条件変更価格問合せがネットワーク経由で通信条件変更装置４０に送信される（ステップＳ１）。
【００４９】
通信条件変更装置４０は、ネットワーク経由で通信端末１２に前記通信条件変更価格問合せを送信する（ステップＳ２）。
【００５０】
利用者daveが通信端末１２上で前記問い合わせを受け、利用者bobと連絡する権利を\3,000で売り渡す旨を入力し、送信操作を行うと、通信条件変更問合せに対する応答が通信条件変更装置４０にネットワーク経由で送信される（ステップＳ３）。通信条件変更装置４０は、通信条件変更価格（\3,000）と変更対象の通信当事者識別子dave@carrier.com, bob@carrier.comを一時的に記憶する。
【００５１】
通信条件変更装置４０は、前記価格をネットワーク経由で通信端末１１に通知する（ステップＳ４）。
【００５２】
利用者ellenは通信条件変更取引システム外で利用者daveに\3,000の支払いを済ませ、取引完了の確証と、変更対象の通信当事者識別子dave@carrier.com, bob@carrier.comと、変更希望の通信当事者識別子ellen@carrier.com, bob@carrier.comを含む通信条件変更要求をネットワーク経由で通信条件変更装置４０に送信する（ステップＳ５）。通信条件変更装置４０は、取引完了の確証を受信することにより、取引完了の確認を行う。通信条件変更装置４０は、適切な価格(\3,000)による取引完了の確認がとれた場合には、一時的に記憶した上記の情報を破棄してもよい。一方、通信条件変更装置４０は、利用者ellenが利用者daveに支払った金額が、ステップＳ３において利用者daveから提示された価格（\3,000）と異なる場合には、利用者ellenの通信端末１１にエラーを通知するようにしてもよい。
【００５３】
通信条件変更装置４０は、通信条件管理装置２０の管理部２３に前記通信条件変更要求をネットワーク経由で送信する（ステップＳ６）。管理部２３は前記通信条件変更要求に基づいて、通信条件を変更前の通信条件（例えば図２）から変更後の通信条件に変更する（例えば図３）。通信条件変更装置４０は、通信条件を変更した後、利用者daveにその旨を通知するようにしてもよい。また、通信条件変更装置４０は、通信条件を変更した後、利用者ellenにもその旨を通知するようにしてもよい。
【００５４】
利用者ellenが通信端末１１上で利用者bobへの発呼操作を行うと、通信端末１１はネットワーク経由で通信確立装置３０の通信確立部３２に対して通信当事者識別子ellen@carrier.comとbob@carrier.comを含む通信確立要求を送信する（ステップＳ７）。
【００５５】
通信確立部３２は、通信確立要求に含まれる通信当事者識別子を通信条件取得部３１に渡して通信条件の取得を要求する（ステップＳ８）。通信条件取得部３１は、前記通信当事者識別子をネットワーク経由で通信条件管理装置２０の管理部２３に送信する（ステップＳ９）。
【００５６】
管理部２３は通信条件記憶部２１に記録された通信条件を参照して、受信した通信当事者識別子と同一の通信当事者識別子を含む通信条件を検索し、発見した通信条件をネットワーク経由で通信条件取得部３１に送信する（ステップＳ１０）。
【００５７】
通信条件取得部３１は、受信した通信条件を通信確立部３２に伝達する（ステップＳ１１）。通信確立部３２は通信条件を受信することができたことから、通信条件が満たされているものと判定し、通信端末１１と通信端末１３との間の通信セッションを確立する（ステップＳ１２）。
【００５８】
これ以降、通信端末１１と通信端末１３は、前記通信セッションを通じて通信を開始する（ステップＳ１３）。
【００５９】
以上の記載は実施形態に基づいて行ったが、本発明は、上記実施形態に限定されるものではない。本発明の構成や詳細には、本発明のスコープ内で当業者が理解し得る様々な変更を加えることができる。
【産業上の利用可能性】
【００６０】
本発明は、インターネット又は次世代通信網（Next Generation Network、ＮＧＮ）を通じて携帯電話機などの通信端末間で行われる通信において、予め設定された通信当事者間の通信条件を変更するために用いることができる。
【符号の説明】
【００６１】
１１〜１３  通信端末
２０  通信条件管理装置
２１  通信条件記憶部
２３  管理部
３０  通信確立装置
３１  通信条件取得部
３２  通信確立部
４０  通信条件変更装置
４１  変更部
【図１】
2011077831.tif 000003
【図２】
2011077831.tif 000004
【図３】
2011077831.tif 000005
【図４】
2011077831.tif 000006